【手続補正書】
【提出日】平成16年6月7日(2004.6.7)
【手続補正１】
【補正対象書類名】明細書
【補正対象項目名】発明の名称
【補正方法】変更
【補正の内容】
【発明の名称】撮影・画像表示システム、撮影画像表示方法及びサービス管理装置
【手続補正２】
【補正対象書類名】明細書
【補正対象項目名】特許請求の範囲
【補正方法】変更
【補正の内容】
【特許請求の範囲】
【請求項１】
ｍ台（ｍは１以上の整数）の撮影装置と、
ｎ台（ｎは１以上の整数）の画像表示装置と、
当該各撮影装置の撮影画像送信サービス及び当該各画像表示装置の画像表示サービスを管理するサービス管理装置
とからなる撮影・画像表示システムであって、
当該サービス管理装置は、当該ｎ台の画像表示装置の内で新たに画像表示サービスを提供可能なものを記憶し、当該ｍ台の撮影装置の内の任意の撮影装置からの画像表示要求に応じて、画像表示サービスを提供可能な画像表示装置の内の所定の画像表示装置の情報を要求元の撮影装置に送信し、当該要求元の撮影装置が当該サービス管理装置から通知された画像表示装置に撮影画像を送信する
ことを特徴とする撮影・画像表示システム。
【請求項２】
更に、当該ｍ台の撮影装置、当該ｎ台の画像表示装置及び当該サービス管理装置を接続するネットワークを具備し、
当該ｍ台の撮影装置のそれぞれは、
撮像手段と、
当該撮影画像を当該ネットワークに出力可能な所定時点で、撮影画像送信サービスが利用可能であることを当該サービス管理装置に通知する撮影画像送信サービス開始通知手段と、
当該サービス管理装置から指定される画像表示装置に、当該撮像手段による撮影画像データを当該ネットワークを介して提供する画像データ提供手段と、
撮影中止に応じて、当該撮影画像送信サービスの提供中止を当該サービス管理装置に通知する撮影画像送信サービス中止通知手段
とを具備する請求項１に記載の撮影・画像表示システム。
【請求項３】
更に、当該ｍ台の撮影装置、当該ｎ台の画像表示装置及び当該サービス管理装置を接続するネットワークを具備し、
当該ｎ台の画像表示装置のそれぞれは、
当該ネットワークから画像データを受信する画像データ受信手段と、
当該画像データ受信手段により受信する画像データを表示する受信画像表示手段と、
新たに画像表示サービスを提供可能になると、当該サービス管理装置に画像表示サービスが利用可能であることを通知する受信画像表示サービス開始通知手段
とを具備する請求項１又は２に記載の撮影・画像表示システム。
【請求項４】
当該サービス管理装置は、
当該ｍ台の撮影装置の撮影画像送信サービス及び当該ｎ台の画像表示装置の画像表示サービスの利用状況を管理するデータベースと、
当該ｍ台の撮影装置の撮影画像送信サービス及び当該ｎ台の画像表示装置サービスの何れかからのサービス開始の通知に従い、対応するサービスが利用可能であることを当該データベースに登録するサービス登録手段と、
当該ｍ台の撮影装置の撮影画像送信サービス及び当該ｎ台の画像表示装置サービスの何れかからのサービス中止の通知に従い、対応するサービスを当該データベースから削除するサービス削除手段
とを有する請求項１乃至３の何れか１項に記載の撮影・画像表示システム。
【請求項５】
当該サービス管理装置は、更に、
当該データベースに登録される当該画像表示サービスを検索する画像表示サービス検索手段と、
当該画像表示サービス検索手段によって検出される当該画像表示サービスの数に等しいサービス仲介巡回モジュールを発生し、各サービス仲介巡回モジュールに当該画像表示サービス検索手段によって検出される各画像表示サービスを関連付けて発行するサービス仲介巡回モジュール発行手段
とを有する請求項４に記載の撮影・画像表示システム。
【請求項６】
当該サービス仲介巡回モジュールは、
画像表示サービスをバインド（関連付け）する画像表示サービス・バインド手段と、
当該サービス管理装置に撮影画像送信サービスを提供する撮影装置を問い合わせる撮影画像送信サービス問い合わせ手段と、
当該撮影画像送信サービス問い合わせ手段で得る撮影画像送信サービスの内の１つを取得する画像送信サービス取得手段と、
当該画像提供サービス送信手段で取得した撮影画像送信サービスを提供する撮影装置にネットワークを介して移動するネットワーク移動手段と、
当該ネットワーク移動手段によって移動した先の撮影装置の撮影画像データを、当該画像表示サービス・バインド手段によってバインドした画像表示サービスを提供する画像表示装置に送信する画像データ送信手段
とを有する請求項５に記載の撮影・画像表示システム。
【請求項７】
当該各撮影装置は、当該サービス仲介巡回モジュールを受信するサービス仲介巡回モジュール受信手段と、受信した当該サービス仲介巡回モジュールの実行中のユーザによる中止要求を当該サービス仲介巡回モジュールに通知する送信中止通知手段とを具備し、当該サービス仲介巡回モジュールは当該送信中止通知手段からの送信中止通知に応じて画像送信を中止する請求項５に記載の撮影・画像表示システム。
【請求項８】
当該各撮影装置は、当該サービス仲介巡回モジュールを受信するサービス仲介巡回モジュール受信手段と、受信した当該サービス仲介巡回モジュールの実行中のユーザによる中止要求を当該サービス仲介巡回モジュールに通知すると共に当該サービス管理装置に撮影画像送信サービスの中止を通知する送信中止通知手段とを具備し、当該サービス仲介巡回モジュールは当該送信中止通知手段からの送信中止通知に応じて画像送信を中止する請求項５に記載の撮影・画像表示システム。
【請求項９】
当該サービス仲介巡回モジュールは更に、
撮影装置上での実行経過時間を計測する経過時間計測手段と、
当該経過時間計測手段による経過時間が所定タイムアウト時間を越えると、画像送信を終了するタイムアウト実行手段
とを有する請求項５に記載の撮影・画像表示システム。
【請求項１０】
当該所定タイムアウト時間が、実行する撮影画像送信サービスに数に応じて決定される請求項９に記載の撮影・画像表示システム。
【請求項１１】
当該サービス仲介巡回モジュールは更に、タイムアウトより所定時間前に警告する警告手段を具備する請求項９に記載の撮影・画像表示システム。
【請求項１２】
当該経過時間計測手段による計測がリセット可能である請求項９、１０又は１１に記載の撮影・画像表示システム。
【請求項１３】
当該撮影装置は、撮影画像送信サービスを実行していないときのユーザからの要求に従い、当該サービス管理装置に当該撮影画像送信サービスの開始を要求する手段を具備し、当該サービス管理装置は、所定条件下で、当該撮影装置に撮影画像の送信を許可する請求項１に記載の撮影・画像表示システム。
【請求項１４】
ｍ台（ｍは１以上の整数）の撮影装置と、
ｎ台（ｎは１以上の整数）の画像表示装置と、
当該各撮影装置の撮影画像送信サービス及び当該各画像表示装置の画像表示サービスを管理するサービス管理装置
とからなる撮影・画像表示システムにおいて、
当該サービス管理装置が、当該ｎ台の画像表示装置の内で新たに画像表示サービスを提供可能なものを記憶し、
当該サービス管理装置が、当該ｍ台の撮影装置の内の任意の撮影装置からの画像表示要求に応じて、画像表示サービスを提供可能な画像表示装置の内の所定の画像表示装置の情報を要求元の撮影装置に送信し、
当該サービス管理装置が、当該要求元の撮影装置が当該サービス管理装置から通知された画像表示装置に撮影画像を送信する
ことを特徴とする撮影・画像表示方法。
【請求項１５】
ｍ台（ｍは１以上の整数）の撮影装置と、ｎ台（ｎは１以上の整数）の画像表示装置とを有する撮影・画像表示システムにおいて、当該各撮影装置の撮影画像送信サービス及び当該各画像表示装置の画像表示サービスを管理するサービス管理装置であって、
当該ｎ台の画像表示装置の内で新たに画像表示サービスを提供可能なものを記憶する記憶手段と、
当該ｍ台の撮影装置の内の任意の撮影装置からの画像表示要求に応じて、画像表示サービスを提供可能な画像表示装置の内の所定の画像表示装置の情報を要求元の撮影装置に送信する情報送信手段と、
当該要求元の撮影装置が当該サービス管理装置から通知された画像表示装置に撮影画像を送信する画像送信手段
とを具備することを特徴とするサービス管理装置。
【請求項１６】
更に、
当該ｍ台の撮影装置の撮影画像送信サービス及び当該ｎ台の画像表示装置の画像表示サービスの利用状況を管理するデータベースと、
当該ｍ台の撮影装置の撮影画像送信サービス及び当該ｎ台の画像表示装置サービスの何れかからのサービス開始の通知に従い、対応するサービスが利用可能であることを当該データベースに登録するサービス登録手段と、
当該ｍ台の撮影装置の撮影画像送信サービス及び当該ｎ台の画像表示装置サービスの何れかからのサービス中止の通知に従い、対応するサービスを当該データベースから削除するサービス削除手段
とを有する請求項１５に記載のサービス管理装置。
【請求項１７】
更に、
当該データベースに登録される当該画像表示サービスを検索する画像表示サービス検索手段と、
当該画像表示サービス検索手段によって検出される当該画像表示サービスの数に等しいサービス仲介巡回モジュールを発生し、各サービス仲介巡回モジュールに当該画像表示サービス検索手段によって検出される各画像表示サービスを関連付けて発行するサービス仲介巡回モジュール発行手段
とを有する請求項１６に記載のサービス管理装置。
【請求項１８】
当該サービス仲介巡回モジュールは、
画像表示サービスをバインド（関連付け）する画像表示サービス・バインド手段と、
当該サービス管理装置に撮影画像送信サービスを提供する撮影装置を問い合わせる撮影画像送信サービス問い合わせ手段と、
当該撮影画像送信サービス問い合わせ手段で得る撮影画像送信サービスの内の１つを取得する画像送信サービス取得手段と、
当該画像提供サービス送信手段で取得した撮影画像送信サービスを提供する撮影装置にネットワークを介して移動するネットワーク移動手段と、
当該ネットワーク移動手段によって移動した先の撮影装置の撮影画像データを、当該画像表示サービス・バインド手段によってバインドした画像表示サービスを提供する画像表示装置に送信する画像データ送信手段
とを有する請求項１７に記載のサービス管理装置。
【請求項１９】
当該サービス仲介巡回モジュールは更に、
撮影装置上での実行経過時間を計測する経過時間計測手段と、
当該経過時間計測手段による経過時間が所定タイムアウト時間を越えると、画像送信を終了するタイムアウト実行手段
とを有する請求項１７に記載のサービス管理装置。
【請求項２０】
当該所定タイムアウト時間が、実行する撮影画像送信サービスに数に応じて決定される請求項１９に記載のサービス管理装置。
【請求項２１】
当該サービス仲介巡回モジュールは更に、タイムアウトより所定時間前に警告する警告手段を具備する請求項１９に記載のサービス管理装置。
【請求項２２】
当該経過時間計測手段による計測がリセット可能である請求項１９、２０又は２１に記載のサービス管理装置。
【手続補正３】
【補正対象書類名】明細書
【補正対象項目名】０００１
【補正方法】変更
【補正の内容】
【０００１】
【発明の属する技術分野】
本発明は、撮影・画像表示システム、撮影画像表示方法及びサービス管理装置に関し、典型的には、複数の撮影装置及び複数の画像表示装置を有する撮影・画像表示システム、撮影画像表示方法及びサービス管理装置に関する。
【手続補正４】
【補正対象書類名】明細書
【補正対象項目名】０００６
【補正方法】変更
【補正の内容】
【０００６】
本発明は、このような不都合を解消した撮影・画像表示システム、撮影画像表示方法及びサービス管理装置を提示することを目的とする。
【手続補正５】
【補正対象書類名】明細書
【補正対象項目名】０００７
【補正方法】変更
【補正の内容】
【０００７】
【課題を解決するための手段】
本発明に係る撮影・画像表示システムは、ｍ台（ｍは１以上の整数）の撮影装置と、ｎ台（ｎは１以上の整数）の画像表示装置と、当該各撮影装置の撮影画像送信サービス及び当該各画像表示装置の画像表示サービスを管理するサービス管理装置とからなる撮影・画像表示システムであって、当該サービス管理装置は、当該ｎ台の画像表示装置の内で新たに画像表示サービスを提供可能なものを記憶し、当該ｍ台の撮影装置の内の任意の撮影装置からの画像表示要求に応じて、画像表示サービスを提供可能な画像表示装置の内の所定の画像表示装置の情報を要求元の撮影装置に送信し、当該要求元の撮影装置が当該サービス管理装置から通知された画像表示装置に撮影画像を送信することを特徴とする。
本発明に係る撮影・画像表示方法は、ｍ台（ｍは１以上の整数）の撮影装置と、ｎ台（ｎは１以上の整数）の画像表示装置と、当該各撮影装置の撮影画像送信サービス及び当該各画像表示装置の画像表示サービスを管理するサービス管理装置とからなる撮影・画像表示システムにおいて、当該サービス管理装置が、当該ｎ台の画像表示装置の内で新たに画像表示サービスを提供可能なものを記憶し、当該サービス管理装置が、当該ｍ台の撮影装置の内の任意の撮影装置からの画像表示要求に応じて、画像表示サービスを提供可能な画像表示装置の内の所定の画像表示装置の情報を要求元の撮影装置に送信し、当該サービス管理装置が、当該要求元の撮影装置が当該サービス管理装置から通知された画像表示装置に撮影画像を送信することを特徴とする。
本発明に係るサービス管理装置は、ｍ台（ｍは１以上の整数）の撮影装置と、ｎ台（ｎは１以上の整数）の画像表示装置とを有する撮影・画像表示システムにおいて、当該各撮影装置の撮影画像送信サービス及び当該各画像表示装置の画像表示サービスを管理するサービス管理装置であって、当該ｎ台の画像表示装置の内で新たに画像表示サービスを提供可能なものを記憶する記憶手段と、当該ｍ台の撮影装置の内の任意の撮影装置からの画像表示要求に応じて、画像表示サービスを提供可能な画像表示装置の内の所定の画像表示装置の情報を要求元の撮影装置に送信する情報送信手段と、当該要求元の撮影装置が当該サービス管理装置から通知された画像表示装置に撮影画像を送信する画像送信手段とを具備することを特徴とする。